(57)【要約】  信号合成部（１０）は、第１入力有効信号と第２入力有効信号とにおいて、重なり合いが長いフレーム同士が合成されるように、第１入力映像信号と第２入力映像信号とを合成する。
2011040077.tif 000002
【特許請求の範囲】
【請求項１】
複数の入力映像信号を合成する信号合成部を有し、上記信号合成部で合成された映像信号に基づいて１つの映像を出力する映像出力装置であって、
上記複数の入力映像信号の内の１つの入力映像信号を基準入力映像信号とした場合、
上記信号合成部は、上記基準入力映像信号と、上記基準入力映像信号と合成される他の入力映像信号とにおいて、互いのフレーム期間の重なり合いが長いフレーム同士が合成されるように、上記基準入力映像信号と上記他の入力映像信号とを合成することを特徴とする映像出力装置。
【請求項２】
上記入力映像信号において、映像に基づく信号が入力されている期間を有効信号期間とした場合、
上記信号合成部は、上記基準入力映像信号と、上記他の入力映像信号とにおいて、互いの上記有効信号期間の重なり合いが長い有効信号期間同士が同時開始するように上記基準入力映像信号と上記他の入力映像信号とを合成することで、上記フレーム期間の重なり合いが長いフレーム同士を合成することを特徴とする請求項１に記載の映像出力装置。
【請求項３】
上記信号合成部には、複数の上記入力映像信号ごとに、上記入力映像信号が書き込まれるフレームメモリが設けられているとともに、上記フレームメモリに上記入力映像信号を書き込む書き込み部が設けられており、
上記フレームメモリには、複数のフレームメモリ領域が設けられており、
上記フレームメモリ領域には、それぞれを特定するための指標が付されており、
上記書き込み部は、上記フレーム期間の重なり合いが長いフレーム同士が、それぞれの上記入力映像信号に対応する上記フレームメモリにおける同じ指標が付された上記フレームメモリ領域に書き込まれるように、上記入力映像信号を上記フレームメモリに書き込むことを特徴とする請求項１又は２に記載の映像出力装置。
【請求項４】
上記信号合成部には、複数の上記入力映像信号ごとに、上記入力映像信号が書き込まれるフレームメモリが設けられているとともに、上記フレームメモリに書き込まれた上記入力映像信号を読み出す読み出し部が設けられており、
上記フレームメモリには、複数のフレームメモリ領域が設けられており、
上記フレームメモリ領域には、それぞれを特定するための指標が付されており、
上記読み出し部は、上記フレーム期間の重なり合いが長いフレーム同士が同時に読み出されるように、それぞれの上記入力映像信号に対応する上記フレームメモリにおいて、読み出し先となるフレームメモリ領域の上記指標を決定することを特徴とする請求項１又は２に記載の映像出力装置。
【請求項５】
上記信号合成部には、複数の上記入力映像信号を書き込むことが可能な単一のフレームメモリと、
単一の上記フレームメモリへの、複数の上記入力映像信号の書き込みタイミングが重ならないように順番に書き込むように制御する書き込み制御部とが設けられていることを特徴とする請求項１又は２に記載の映像出力装置。
【請求項６】
上記信号合成部には、複数の上記入力映像信号ごとに、上記入力映像信号が書き込まれるフレームメモリと、
上記フレームメモリに上記入力映像信号を書き込む書き込み部と、
上記フレームメモリに書き込まれた上記入力映像信号を読み出す読み出し部とが設けられており、
上記フレームメモリには、３個のフレームメモリ領域が設けられているとともに、各フレームメモリ領域には、上記各フレームメモリ領域を特定するための指標が付されており、
上記書き込み部と上記読み出し部とは、同じ上記指標が付された上記フレームメモリ領域に対して、同時に書き込みと読み出しとが行われないように、上記書き込みと読み出しとを行うことを特徴とする請求項１から４の何れか１項に記載の映像出力装置。
【請求項７】
上記信号合成部には、複数の上記入力映像信号ごとに、上記入力映像信号が書き込まれるフレームメモリと、
上記フレームメモリに上記入力映像信号を書き込む書き込み部と、
上記フレームメモリに書き込まれた上記入力映像信号を読み出す読み出し部とが設けられており、
上記フレームメモリには、２個のフレームメモリ領域が設けられているとともに、各フレームメモリ領域には、上記各フレームメモリを特定するための指標が付されており、
上記入力映像信号において、映像に基づく信号が入力されている期間を有効信号期間とした場合、上記有効信号期間は、上記フレーム期間の３分の２未満であり、
上記書き込み部と上記読み出し部とは、同じ上記指標が付された上記フレームメモリ領域に対して、同時に上記書き込みと読み出しとが行われないように、上記書き込みと読み出しとを行うことを特徴とする請求項２から４の何れか１項に記載の映像出力装置。
【請求項８】
上記信号合成部には、複数の上記入力映像信号ごとに、上記入力映像信号が書き込まれるフレームメモリと、
上記フレームメモリに上記入力映像信号を書き込む書き込み部と、
上記フレームメモリに書き込まれた上記入力映像信号を読み出す読み出し部とが設けられており、
上記フレームメモリの上記入力映像信号の書き込み部分、及び、上記フレームメモリの上記入力映像信号の読み出し部分には、それぞれ先入れ先だし特性を有する補助メモリが設けられており、
上記補助メモリは、上記フレーム期間の３分の１以上の期間に対応する入力映像信号をメモリする容量を有しており、
上記フレームメモリには、２個のフレームメモリ領域が設けられているとともに、各フレームメモリ領域には、それぞれを特定するための指標が付されており、
上記書き込み部と上記読み出し部とは、同じ上記指標が付された上記フレームメモリ領域に対して、同時に上記書き込みと読み出しとが行われないように、上記書き込みと読み出しとを行うことを特徴とする請求項１から４の何れか１項に記載の映像出力装置。
【請求項９】
請求項１に記載の信号合成部としてコンピュータを機能させることを特徴とする制御プログラム。
【請求項１０】
請求項９に記載の制御プログラムを格納したコンピュータ読取可能な記録媒体。
【請求項１１】
複数の入力映像信号を合成して１つの映像を出力する映像の合成方法であって、
上記複数の入力映像信号の内の１つの入力映像信号を基準入力映像信号とした場合、
上記基準入力映像信号と、上記基準入力映像信号と合成される他の入力映像信号とにおいて、互いのフレーム期間の重なり合いが長いフレームを特定するステップと、
上記ステップで特定されたフレーム同士を合成するステップとを有することを特徴とする映像の合成方法。
【請求項１２】
上記入力映像信号において、映像に基づく信号が入力されている期間を有効信号期間とした場合、
上記基準入力映像信号と、上記他の入力映像信号とにおいて、互いの上記有効信号期間の重なり合いが長い有効信号期間を特定することで、互いのフレーム期間の重なり合いが長いフレームを特定することを特徴とする請求項１１に記載の映像の合成方法。
【発明の詳細な説明】
【技術分野】
【０００１】
本発明は、映像出力装置にかかり、特に複数の入力映像信号を合成して１つの映像を出力する際、入力された入力映像信号の間にフレームのずれなどがあっても、テアリングの発生を抑制することができる映像出力装置に関する。
【背景技術】
【０００２】
高い解像度の映像信号を送信する場合、そのデータ量が多いため、１本のケーブルで映像信号を送信できないときがある。そのとき、１つの映像信号を複数のケーブルに分割して伝送する必要がある。【０００３】
また、高い解像度の映像信号を作る場合、映像処理装置の処理能力が不足しているため、１台の映像処理装置では映像信号を作れないときもある。そのとき、映像信号を分割し、複数の映像処理装置で映像信号を作り、これらを別々のケーブルで伝送することもある。【０００４】
特許文献１には、複数の入力映像から入力映像毎の表示領域が確保された単一の表示映像を生成して、それを表示する映像出力装置が開示されている。【０００５】
そして、同文献には、上記複数の入力映像の間でフレーム周波数が異なる場合に、それらの映像を同時出力する際に生じるテアリングの発生を防止するために、使用者の選択や各映像の面積比などに基づいて基準となる入力映像を選択し、その基準となる入力映像のフレーム周波数に、他の入力映像を同期させる方案が開示されている。つまり、フレーム周波数が異なる複数の入力映像を表示する際に、所定の選択規則に従って上記複数の入力映像のうち何れかの入力映像を主たる入力映像として、使用者にとってより良好な表示映像を出力することが開示されている。【０００６】
なお、上記テアリングとは、画面に表示される映像のなかに、映像の分かれ目が生じ、その分かれ目で、例えば映像の中の移動する物体に線が入ったように見えたりすることを意味する。
【先行技術文献】
【特許文献】
【０００７】
【特許文献１】日本国公開特許公報「特開２００７−２７１８４８号（２００７年１０月１８日公開）」
【特許文献２】日本国公開特許公報「特開平７−１５４６８０号（１９９５年６月１６日公開）」
【特許文献３】日本国公開特許公報「特開平７−７５０１４号（１９９５年３月１７日公開）」
【特許文献４】日本国公開特許公報「特開平５−１７６２２９号（１９９３年７月１３日公開）」
【特許文献５】日本国公開特許公報「特開平５−１０３２６０号（１９９３年４月２３日公開）」
【特許文献６】日本国公開特許公報「特開平２−１６６４９５号（１９９０年６月２７日公開）」
【発明の概要】
【発明が解決しようとする課題】
【０００８】
上記特許文献１に開示された技術では、例えばフレーム周波数が相違する複数の映像を１つの画面で同時に表示する際に発生するテアリングを抑制することは可能であるが、１つの映像が分割されたのち、再度合成する際に発生するテアリングを抑制することはできない。つまり、元々は１つの映像に対応する映像信号を複数の映像信号に分割して、例えば複数のケーブルで別々に送信した後、再び映像信号を合成して１つの映像として表示する際に発生するテアリングを抑制することができない。【０００９】
本発明は、かかる従来の課題を鑑みてなされたものであり、１つの映像信号を複数の映像信号に分割した後、分割された映像信号を合成して１つの映像として表示する際に発生するテアリングを抑制することが可能となる映像出力装置及び映像の合成方法を提供することを目的とする。
【課題を解決するための手段】
【００１０】
本発明の映像出力装置は、上記課題を解決するために、複数の入力映像信号を合成する信号合成部を有し、上記信号合成部で合成された映像信号に基づいて１つの映像を出力する映像出力装置であって、上記複数の入力映像信号の内の１つの入力映像信号を基準入力映像信号とした場合、上記信号合成部は、上記基準入力映像信号と、上記基準入力映像信号と合成される他の入力映像信号とにおいて、互いのフレーム期間の重なり合いが長いフレーム同士が合成されるように、上記基準入力映像信号と上記他の入力映像信号とを合成することを特徴とする。【００１１】
本発明の映像の合成方法は、上記課題を解決するために、複数の入力映像信号を合成して１つの映像を出力する映像の合成方法であって、上記複数の入力映像信号の内の１つの入力映像信号を基準入力映像信号とした場合、上記基準入力映像信号と、上記基準入力映像信号と合成される他の入力映像信号とにおいて、互いのフレーム期間の重なり合いが長いフレームを特定するステップと、上記ステップで特定されたフレーム同士を合成するステップとを有することを特徴とする。【００１２】
上記映像出力装置又は映像の合成方法によれば、複数の入力映像信号について、互いのフレーム期間の重なり合いが長いフレーム同士が合成されるように、上記複数の入力映像信号が合成される。【００１３】
複数の入力映像信号が入力される映像出力装置において、その入力映像信号の位相がずれている場合がある。このずれは、一般に映像出力装置に接続されている入力ケーブルの長さの違いや、上記入力映像信号が出力される際のタイミングのずれ等による。そして、通常上記位相のずれは、通常プラスマイナス０．５フレーム以内であることが多い。【００１４】
ここで、構成又は方法によれば、複数の入力映像信号について、互いのフレーム期間の重なり合いが長いフレーム同士が合成される。そのため、対応しないフレーム同士が合成されにくくなり、対応しないフレーム同士が合成された場合に生じやすいテアリングが発生しにくくなる。【００１５】
よって、上記の構成又は方法によれば、１つの映像信号を複数の映像信号に分割した後、分割された映像信号を合成して１つの映像として表示する際に発生するテアリングを抑制することが可能となる。
【発明の効果】
【００１６】
本発明の映像出力装置は、複数の入力映像信号の内の１つの入力映像信号を基準入力映像信号とした場合、信号合成部は、上記基準入力映像信号と、上記基準入力映像信号と合成される他の入力映像信号とにおいて、互いのフレーム期間の重なり合いが長いフレーム同士が合成されるように、上記基準入力映像信号と上記他の入力映像信号とを合成するものである。【００１７】
また、本発明の映像の合成方法は、複数の入力映像信号の内の１つの入力映像信号を基準入力映像信号とした場合、上記基準入力映像信号と、上記基準入力映像信号と合成される他の入力映像信号とにおいて、互いのフレーム期間の重なり合いが長いフレームを特定するステップと、上記ステップで特定されたフレーム同士を合成するステップとを有する方法である。【００１８】
上記映像出力装置、又は、上記映像の合成方法は、１つの映像信号を複数の映像信号に分割した後、分割された映像信号を合成して１つの映像として表示する際に発生するテアリングを抑制することが可能とするとの効果を奏する。
【図面の簡単な説明】
【００１９】
【図１】本発明の実施の形態１における映像出力装置のライトフレーム番号生成部の概略構成を示すブロック図である。
【図２】本発明の実施の形態１における映像出力装置の概略構成を示すブロック図である。
【図３】図１に示すライトフレーム番号生成部によりライトフレーム番号を生成する実施例の説明図である。
【図４】図１に示すライトフレーム番号生成部によりライトフレーム番号を生成する他の実施例の説明図である。
【図５】本発明の実施の形態２における映像出力装置の概略構成を示すブロック図である。
【図６】本発明の実施の形態３における映像出力装置の概略構成を示すブロック図である。
【図７】本発明の実施の形態３における映像出力装置のリードフレーム番号生成部の概略構成を示すブロック図である。
【図８】図７に示すリードフレーム番号生成部によりリードフレーム番号を生成する実施例の説明図である。
【図９】本発明の実施の形態４における映像出力装置の概略構成を示すブロック図である。
【図１０】（ａ）は、フレームメモリを２フレーム分に分割した場合の状態を示す図であり、（ｂ）は、本発明の実施の形態１又は２における映像出力装置のフレームメモリを２フレーム分に分割した場合のライトフレーム番号及びリードフレーム番号の生成結果を示す例図である。
【図１１】（ａ）は、フレームメモリを３フレーム分に分割した場合の状態を示す図であり、（ｂ）は、本発明の実施の形態１または２における映像出力装置のフレームメモリを３フレーム分に分割した場合のライトフレーム番号およびリードフレーム番号の生成結果を示す例図であり、（ｃ）は、本発明の実施の形態３または４における映像出力装置のフレームメモリを３フレーム分に分割した場合のライトフレーム番号およびリードフレーム番号の生成結果を示す例図である。
【図１２】本発明の実施の形態６における映像出力装置の概略構成を示すブロック図である。
【図１３】（ａ）は、入力映像信号の有効期間を３分の２に調整した場合のライトフレーム番号及びリードフレーム番号の生成結果を示す例図であり、（ｂ）は、図１２における映像出力装置のライトフレーム番号及びリードフレーム番号の生成結果を示す例図である。
【発明を実施するための形態】
【００２０】
以下、本発明の実施の形態について、詳細に説明する。
【００２１】
本発明は、複数の入力映像信号を合成して１つの映像として出力する場合、１つの映像に合成されるため入力される複数の入力映像信号同士が非同期であり、映像信号同士にずれが有っても、出力映像のテアリングが軽減できる映像出力装置を提供する。
【００２２】
本発明を理解しやすく説明するため、以下本発明の実施形態においては、１つの映像を２つのケーブルに分割して伝送する場合、すなわち、入力映像信号を上下段の２部分に分けて、２つのケーブルで伝送する場合を説明する。もちろん、本発明は、映像信号が３つ以上に分割入力される場合でも有効である。
【００２３】
〔実施の形態１〕
図２は、本実施の形態の映像出力装置１の概略構成示すためのブロック図である。同図に示すように、映像出力装置１は、入力映像信号を合成する信号合成部１０を主な構成要素とし、上記信号合成部１０の他に、図示しない映像入力端子，映像出力端子，電源部等を有している。そして、上記信号合成部１０は、第１ライトアドレス生成回路１０１と第２ライトアドレス生成回路１０２、ライトフレーム番号生成部１１０、第１フレームメモリ１２１と第２フレームメモリ１２２、出力タイミング信号生成回路１３０、リードアドレス生成回路１４０、リードフレーム番号生成部１５０、及び合成映像信号出力回路１６０などを備えている。
【００２４】
ここで、上記第１ライトアドレス生成回路１０１、第２ライトアドレス生成回路１０２及びライトフレーム番号生成部１１０は、入力映像信号をフレームメモリに書き込む書き込み部として機能する。
【００２５】
また、上記出力タイミング信号生成回路１３０、リードアドレス生成回路１４０、リードフレーム番号生成部１５０及び合成映像信号出力回路１６０は、フレームメモリに書き込まれた上記入力映像信号を読み出す読み出し部として機能する。
【００２６】
また、各回路名称に付けられている第１，第２とは、映像信号が２つに分割されている第１入力映像信号，第２入力映像信号にそれぞれ対応している。
【００２７】
上記各ライトアドレス生成回路は、２つの入力有効信号をカウントして、それぞれにライトアドレスを生成する。ここで上記入力有効信号とは、映像出力装置に入力される映像信号である入力映像信号に対応する信号であり、上記入力映像信号において、映像信号が存在する期間を有効とする信号である。言い換えると、入力映像信号において、水平ブランキング期間を除く期間を有効とする信号である。
【００２８】
本実施の形態では、入力映像信号が、例えば表示画面における上段に対応する入力映像信号と下段に対応する入力映像信号のように、２つの入力映像信号に分かれている。そして、上記入力有効信号には、それぞれに対応して、第１入力有効信号と第２入力有効信号とがある。
【００２９】
そのため、本実施の形態の映像出力装置１には、上記ライトアドレス生成回路として、上記のように、第１入力有効信号が入力される第１ライトアドレス生成回路１０１と、第２入力有効信号が入力される第２ライトアドレス生成回路１０２とが設けられている。
【００３０】
ライトフレーム番号生成部１１０は、２つの入力映像信号について、その入力映像信号の有効範囲を示す信号である上記入力有効信号のアンド（重なり合い）を取ってその信号の有効期間をカウントし、有効期間が最も長い期間の入力映像信号が同じフレームに格納できるように、入力映像信号にライトフレーム番号を生成する。そのため、上記ライトフレーム番号生成部１１０には、上記第１入力映像信号と上記第２有力映像信号とが入力される。
【００３１】
なお、上記有効信号のアンドを取るとは、２つの入力有効信号が互いにオンである期間を求めることである。
【００３２】
フレームメモリは、入力映像信号を、上記ライトアドレス及びライトフレーム番号で指定された位置に書き込むためのメモリである。
【００３３】
本実施の形態では、入力映像信号には、第１入力映像信号と第２入力映像信号とがあるため、上記フレームメモリも、それぞれの入力映像信号に対応して、２つ設けられている。具体的には、第１入力映像信号が入力される第１フレームメモリ１２１と、第２入力映像信号が入力される第２フレームメモリ１２２とが設けられている。
【００３４】
そして、上記第１フレームメモリ１２１には、上記第１ライトアドレス生成回路１０１からのライトアドレスと、上記ライトフレーム番号生成部１１０からのライトフレーム番号とが入力される。
【００３５】
また、上記第２フレームメモリ１２２には、同様に、上記第２ライトアドレス生成回路１０２からのライトアドレスと、上記ライトフレーム番号生成部１１０からのライトフレーム番号とが入力される。
【００３６】
出力タイミング信号生成回路１３０は、各入力映像信号をタイミング信号に同期してあらかじめ設定された順序で出力するように、出力タイミング信号を生成する。
【００３７】
リードアドレス生成回路１４０は、生成された出力タイミング信号をカウントして、リードアドレス生成する。
【００３８】
リードフレーム番号生成部１５０は、上記第１フレームメモリ１２１及び第２フレームメモリ１２２から映像信号を読み出す場合のフレーム番号を生成する。
【００３９】
以上のようにして生成されたリードアドレス及びリードフレーム番号は、各フレームメモリ（第１フレームメモリ１２１及び第２フレームメモリ１２２）に入力・格納される。
【００４０】
そして、合成映像信号出力回路１６０は、第１フレームメモリ１２１及び第２フレームメモリ１２２の中から、上記リードアドレスとリードフレーム番号とで指定された位置（フレームメモリ領域）から入力映像信号読み出し、それらを合成して、出力タイミングに応じて映像信号を出力する。
【００４１】
詳しくは、上記各フレームメモリには、複数のフレームメモリ領域が設けられている。このフレームメモリ領域は、１フレーム分の容量に対応している。また、各フレームメモリ領域には、それぞれを特定するための指標として番号が付されている。
【００４２】
上記リードアドレスとリードフレーム番号とで位置を指定するとは、例えば、上記フレームメモリ領域を上記指標によって指定することを意味する。
【００４３】
ここで、説明を理解しやすくするために、当業においてよく使われている部分及びその動作に対しては、その詳細な説明を省略する。
【００４４】
本実施の形態において、ライトフレーム番号生成部１１０以外の回路は、普通の映像出力装置の該当回路と同じ動作及び作用を有するので、説明は省略する。つまり、本実施例においては、ライトフレーム番号生成部１１０のみの動作及び作用などについて詳細に説明する。
【００４５】
図１は、図２におけるライトフレーム番号生成部１１０の概略構成を示すブロック図である。同図に示すように、ライトフレーム番号生成部１１０は、入力される有効信号（第１，第２入力有効信号）を拡張するための拡張回路（１１１，１１２）、拡張された入力有効信号（拡張入力有効信号）をアンドするためのアンド回路１１３、アンドされた入力有効信号の高いレベルにある期間をカウントするためのカウンタ１１４、アンドされた有効信号が高いレベルから低いレベルに変更する時点で、カウンタ１１４による以前の最大値と今の最大値を比較し、比較結果によって入力番号を出力するための最大値検出回路１１５、最大値検出回路１１５から出力された上記入力番号に基づいて入力映像信号に対するライトフレーム番号を決めるとともに、そのライトフレーム番号を出力するフレーム番号カウンタ１１６などを備えている。
【００４６】
より詳しくは、本実施の形態の映像出力装置１（図２を参照）には、入力有効信号が、上記第１入力有効信号と第２入力有効信号との２つある。そのため、上記拡張回路も、上記第１入力有効信号が入力される第１拡張回路１１１と、上記第２入力有効信号が入力される第２拡張回路１１２との２つの拡張回路が設けられている。
【００４７】
そして、上記第１拡張回路１１１からは、上記第１入力有効信号が拡張された有効信号である第１拡張入力有効信号が出力され、同様に、上記第２拡張回路１１２からは、上記第２入力有効信号が拡張された有効信号である第２拡張入力有効信号が出力される。
【００４８】
そして、上記第１拡張入力有効信号と第２拡張入力有効信号とが、上記アンド回路１１３に入力され、上記アンド回路１１３で、上記第１拡張入力有効信号と第２拡張入力有効信号とがアンドされる。このアンドされた結果は、上記カウンタ１１４と最大値検出回路１１５に出力される。
【００４９】
また、上記第１入力映像信号と第２入力映像信号とにそれぞれ対応する垂直同期信号である第１垂直同期信号と第２垂直同期信号とは、何れも、上記最大値検出回路１１５及びフレーム番号カウンタ１１６に入力可能とされている。
【００５０】
そして上記フレーム番号カウンタ１１６からは、第１ライトフレーム番号と第２ライトフレーム番号とが、それぞれ、図２に示す上記第１フレームメモリ１２１と第２フレームメモリ１２２とに出力される。
【００５１】
〔１−１〕
以下、図１，３に基づいて、ライトフレーム番号生成部１１０によりライトフレーム番号を決める手順を具体的に説明する。
【００５２】
非同期の状態で入力される上下段２つの入力映像信号（何れか一方の入力映像信号が基準入力映像信号となり、他方の入力映像信号が上記基準入力映像信号と合成される他の入力映像信号となる。以下の説明においても同様。）の入力番号を１及び２として、上段の入力映像信号に対応した入力有効信号を第１入力有効信号、下段の入力映像信号に対応した入力有効信号を第２入力有効信号とする。
【００５３】
本実施例においては、第２入力有効信号が所定範囲以内で第１入力有効信号より早めに入力された場合を説明する。すなわち、対応する入力映像信号について、第２入力映像信号が第１入力映像信号よりも早めに入力される場合について説明する。
【００５４】
図３に示すように、第１入力有効信号として、有効信号…，１４，１５，１６…が入力され、第２入力有効信号として、有効信号…，２４，２５，２６…が入力されている。ここで、図３に示す場合は、例えば、出力時は、上下段の有効信号において、有効信号１４と２４、有効信号１５と２５、有効信号１６と２６…が合成され、出力映像として出力されるの際のテアリングが抑制される出力である場合を想定している。
【００５５】
まず、第１入力有効信号と第２入力有効信号とを考えた場合、各入力有効信号は水平ブランキング期間で途切れているので、第１入力有効信号及び第２入力有効信号をそれぞれ第１拡張回路１１１及び第１拡張回路１１２で繋げる。具体的には、図１に示す第１拡張回路１２１により第１入力有効信号を拡張して、図３に示すような拡張有効信号…，１４’，１５’，１６’…を含む第１拡張入力有効信号を生成し、図１に示す第２拡張回路１１２により第２入力有効信号を拡張して、図３に示すような拡張有効信号…，２４’，２５’，２６’…を含む拡張第２拡張入力有効信号を生成する。
【００５６】
また、垂直ブランキング期間を検出して、上記入力番号にそれぞれ対応する垂直同期信号を生成する。ここで、垂直同期信号の生成は、当業の一般的な技術によって生成できるので、詳細な説明は省略する。なお、垂直同期信号は、別途、入力される信号を使っても良い。本実施例においては、上記第１入力有効信号と第２入力有効信号とにそれぞれ対応して（第１入力映像信号と第２入力映像信号とにそれぞれ対応して）、第１垂直同期信号と第２垂直同期信号を生成する。
【００５７】
次に、第１拡張入力有効信号及び第２拡張入力有効信号をともにアンド回路１１３（図１を参照）に入力し、アンド回路１１３により上記第１，第２拡張有効信号のアンドを取ることで、アンド有効信号が出力される。例えば、図３に示すように、拡張入力有効信号１４’と第２拡張入力有効信号とをアンドすると、アンド有効信号４１，４２が生成され、拡張入力有効信号１５’と第２拡張入力有効信号とをアンドすると、アンド有効信号５１，５２が生成され、拡張入力有効信号１６’と第２拡張入力有効信号とをアンドすると、アンド有効信号６１が生成される。
【００５８】
次に、アンド有効信号をカウンタ１１４（図１を参照）に入力して、カウンタ１１４にて各アンド有効信号の高いレベル（アンドが「１」）となる有効期間をカウントする。つまり、アンド有効信号が、低いレベル（アンドが「０」）である時はカウントせず、高いレベルである時はカウンタを１単位分カウントアップする。例えば、図３に示すように、カウンタにより、アンド有効信号４１、５１、５２をカウントしたカウンタ値の最大値は３であり、アンド有効信号４２、５２、６２をカウントしたカウンタ値の最大値は６である。
【００５９】
カウンタ１１４による各アンド有効信号のカウント作業と共に、最大値検出回路１１５（図１を参照）により、アンド有効信号が高いレベルから低いレベル（すなわち、アンドが「１」→「０」）になった時点で、アンド有効信号の有効期間カウントした今のカウンタの最大値と、前の高アンド有効信号の有効期間をカウントしたカウンタの最大値を比較する。
【００６０】
比較結果、今のカウンタ値が最大であれば、カウンタは拡張有効信号が変化した有効信号の入力番号を記憶しておく。そして、垂直同期信号が入力されると、カウンタは記憶しておいた入力番号をフレーム番号カウンタに出力し、当該最大値を記憶した後リセットする。
【００６１】
例えば、アンド有効信号４１、４２を例として説明すると、上記比較とは、アンド有効信号４１をカウントした前のカウンタ値の最大値３と、アンド有効信号４２をカウントした今のカウンタ値の最大値６とを比較する。この場合の比較結果では、アンド有効信号４２のカウンタ値が最大であるので、アンド有効信号４２のアンド「１」が「０」となる時点（アンド有効信号４２の右端末）で、拡張有効信号の変化を確認する。その確認の結果として、拡張入力有効信号２４が変化したことが確認されるので、カウンタは対応する拡張有効信号の入力番号２を記憶しておく。そして、上記記憶された入力番号２に対応する垂直同期信号とは異なる垂直同期信号（もう一方の垂直同期信号）である第１垂直同期信号が入力されると、カウンタは当該記憶しておいた入力番号２をフレーム番号カウンタに出力してから、当該数値をリセットして、次の高いレベルのアンド有効信号５１の有効期間をカウントする。
【００６２】
逆に、今のカウンタによる値が最大ではなければ、今のカウンタの値をリセットし、次の高いレベルのアンド有効信号の有効期間をカウントする。
【００６３】
例えば、今のカウントしている信号がアンド有効信号５１である時は、アンド有効信号５１をカウントしたカウンタ値の最大値３と、アンド有効信号４２をカウントした前のカウンタ値の最大値６とを比較する。比較結果として、今のカウンタによる値が最大ではないので、今のカウンタ最大値を記憶し、当該数値をリセットして、次のアンド有効信号５２をカウントする。アンド有効信号５２とアンド有効信号５１との比較方法も、上記通りである。
【００６４】
このように、カウンタにより、アンド有効信号の有効期間をカウントして比較することで、上下段信号の入力番号を決める。
【００６５】
ここで、入力番号とは、複数に分割されて入力される入力映像信号（又は、それぞれ対応する入力有効信号）にそれぞれ付けられた番号である。本実施例においては、入力番号１、入力番号２と表記したが、この表記例に限らない。つまり、複数の映像信号を区別するように明確に表記できれば、何れの文字で表記してもよい。
【００６６】
続いて、フレーム番号カウンタ１１６（図１を参照）は、入力番号に対応する垂直同期信号を基準に、上記入力番号に対応する入力映像信号のライトフレーム番号をカウントアップする。続いて、上記入力番号に対応する垂直同期信号とは異なる垂直同期信号（もう一方の垂直同期信号）を基準に、もう一方の入力映像信号のライトフレーム番号を、上記カウントアップした番号と同じ番号とする。そして、フレーム番号カウンタ１１６は、上記のようにして決定された各入力番号に対応する２つのライトフレーム番号（第１ライトフレーム番号と第２ライトフレーム番号）を対応したフレームメモリ（図１に示す第１フレームメモリ１２１と第２フレームメモリ１２２）に出力する。
【００６７】
例えば、この実施例のように、入力番号が２である場合は、第２垂直同期信号が入力される時点（信号のレベルが「０」から「１」になる時点）から、第２ライトフレーム番号をカウントアップする。すなわち、前の映像信号に付けられたライトフレーム番号をさらに１単位分カウントアップする。そして、第１垂直同期信号が入力される時点（信号のレベルが「０」から「１」になる時）で、第１ライトフレーム番号を第２ライトフレーム番号と同じライトフレーム番号とする。
【００６８】
ここで、ライトフレーム番号とは、合成出力時、同じフレーム番号の映像信号を合成することで、１つの映像が出力されるように、入力された複数の入力映像信号に各々付けられる、フレームメモリ内の番号である。
【００６９】
以上のようにして、ライトフレーム番号生成部により、非同期して入力される複数の映像信号に対してフレーム番号を付け、同じフレーム番号の映像信号を合成して、１つの映像として出力する。
【００７０】
〔１−２〕
以下、図１，４に基づいて、ライトフレーム番号を決める手順の他の例を説明する。ここでも、１つの映像を２つのケーブルに分割して伝送する場合、すなわち、入力映像信号が上下段の２部分に分けられた場合を例として説明する。
【００７１】
なお、本実施例は、上記実施例の映像信号と同様の形状を有する信号を入力した場合であるが、第１入力有効信号（第１入力映像信号）が所定範囲以内で第２入力有効信号（第２入力映像信号）より早めに入力された場合を説明する。すなわち、対応する入力映像信号について、第１入力映像信号が第２入力映像信号よりも早めに入力される場合について説明する。
【００７２】
また、説明を簡単にするために、各信号の名称及び符号を、それぞれ上記実施例と同じものを付けて説明する。
【００７３】
本実施例において、上下段の第１入力有効信号と第２入力有効信号とを拡張して、アンド回路にてアンド有効信号を生成する。そして、カウンタによりアンド有効信号の有効期間をカウントすることまでは、上記実施例と同じであるので、更なる説明は省略する。
【００７４】
ただし、本実施例においては、上下段の映像信号の入力順序が上記実施例と異なる（逆）であるので、第１拡張入力有効信号と第２拡張入力有効信号とのアンド結果、及びカウンタによるアンド有効信号の有効期間をカウントした値が、上記実施例と異なっている。
【００７５】
例えば、図４に示すように、カウンタ１１４（図１を参照）により、アンド有効信号４１、５１、５２をカウントしたカウンタ値の最大値は６であり、アンド有効信号４２、５２、６２をカウントしたカウンタ値の最大値は３である。
【００７６】
アンド有効信号４１、４２を例として説明すると、アンド有効信号４１をカウントした前のカウンタ値の最大値６と、アンド有効信号４２をカウントした今のカウンタ値の最大値３とを比較する。比較結果として、今のカウンタによる値が最大ではないので、数値をリセットしてから次のアンド有効信号５１をカウントする。
【００７７】
そして、最大値検出回路１１５（図１を参照）により、アンド有効信号４２をカウントして記憶した前のカウンタ値の最大値３と、アンド有効信号５１をカウントした今のカウンタ値の最大値６とを比較する。今回の比較結果では、アンド有効信号５１のカウンタ値が最大であるので、アンド有効信号５１のアンド「１」が「０」となる時点（アンド有効信号５１の右端末）で、拡張入力有効信号１４が変化したことが確認され、対応する有効信号の入力番号１を記憶しておく。そして、上記記憶された入力番号１に対応する垂直同期信号である第１垂直同期信号が入力されると、当該記憶しておいた入力番号１を出力し、カウンタによるアンド有効信号５１の有効期間の数値をリセットしてから次の高いレベルのアンド有効信号の有効期間をカウントする。
【００７８】
続いて、フレーム番号カウンタ１１６（図１を参照）は、入力番号１に対応する第１垂直同期信号を基準に、各入力映像信号にライトフレーム番号を決め、もう一方の垂直同期信号で他方の入力映像信号に対して同じフレーム番号を出力する。
【００７９】
すなわち、入力番号が１である場合は、第１垂直同期信号が入力される時点（信号のレベルが「０」から「１」になる時点）から、第１ライトフレーム番号を、前の入力映像信号に付けられた番号と比べ、１単位分カウントアップする。そして、他方の垂直同期信号である第２垂直同期信号が入力される時点（信号のレベルが「０」から「１」になる時）で、第２ライトフレーム番号を第１ライトフレーム番号と同じライトフレーム番号とする。そして、フレーム番号カウンタ１１６は、上記のようにして決定された各入力番号に対応する２つのライトフレーム番号（第１ライトフレーム番号と第２ライトフレーム番号）を対応したフレームメモリ（図１に示す第１フレームメモリ１２１と第２フレームメモリ１２２）に出力する。
【００８０】
以上のようにして、ライトフレーム番号生成部１１０により、非同期して入力される複数の映像信号に対してフレーム番号を付け、同じフレーム番号の入力映像信号を合成して、１つの映像として出力する。
【００８１】
〔実施の形態２〕
図５は、本発明の他の実施の形態による映像出力装置１’の概略構成を示すブロック図である。図５に示すように、本実施の形態における映像出力装置１’は、図２に示す上記実施の形態１における映像出力装置１に、より詳しくは上記信号合成部１０の書き込み部に、書き込み制御部としての調停回路１７０をさらに備えた構成を有している。
【００８２】
つまり、本実施の形態における映像出力装置は、第１ライトアドレス生成回路１０１と第２ライトアドレス生成回路１０２、ライトフレーム番号生成部１１０、調停回路１７０、フレームメモリ１２０、出力タイミング信号生成回路１３０、リードアドレス生成回路１４０、リードフレーム番号生成部１５０、及び合成映像信号出力回路１６０などを備えている。ここで、調停回路１７０以外の部分は、上記実施の形態１とほぼ同様であるので、説明は概述する。
【００８３】
上述のように、ライトアドレス生成回路（第１ライトアドレス生成回路１０１と第２ライトアドレス生成回路１０２）は、それぞれ２つの入力有効信号（第１入力映像信号と第２入力映像信号）をカウントして、それぞれにライトアドレスを生成し、ライトフレーム番号生成部１１０は、２つの入力映像信号について、その入力映像信号の有効範囲を示す信号である上記入力有効信号のアンドを取ってその信号の有効期間をカウントし、有効期間が最も長い期間の映像信号が同じフレームに格納できるように、入力された映像信号にライトフレーム番号を生成する。
【００８４】
また、フレームメモリ１２０は、入力映像信号を、上記ライトアドレス及びライトフレーム番号で指定された位置に書き込むためのメモリである。ここで、上記実施の形態１では、分割・入力される信号に応じて、２つのフレームメモリ１２１・１２２（図２を参照）が設けられていた。これに対して本実施の形態では、その前段に調停回路１７０が設置されているので、１つのフレームメモリ１２０であっても、上記実施の形態１と同じ効果が得られる。
【００８５】
すなわち、調停回路１７０はフレームメモリ１２０の前段に設置されており、当該調停回路１７０は、フレームメモリ１２０への、各入力映像信号の入力タイミングと、ライトアドレスの入力タイミングと、各入力映像信号に付けられたライトフレーム番号の入力タイミングとを調整して、各入力映像信号が、上記ライトアドレス及びライトフレーム番号で指定された位置に順番に書き込まれるように制御する。
【００８６】
また、出力タイミング信号生成回路１３０は、入力映像信号をタイミング信号に同期してあらかじめ設定された順序で出力するように、出力タイミング信号を生成し、リードアドレス生成回路１４０は、生成された出力タイミング信号をカウントしてリードアドレス生成し、リードフレーム番号生成部１５０は、上記フレームメモリから映像信号を読み出す場合のフレーム番号を生成し、合成映像信号出力回路１６０は、フレームメモリの中から、上記リードアドレスとリードフレーム番号とで指定された位置から入力映像信号読み出し、それらを合成して、出力タイミングに応じて映像信号を出力する。
【００８７】
このように、本実施例では、調停回路を用いることで、１つのフレームメモリで映像出力装置１が構成されている。そのため、装置全体の端子数や部品点数を削減することができ、消費電力やコストを下げることができる。
【００８８】
〔実施の形態３〕
以下、図６〜８に基づいて、本発明の他の実施形態による映像出力装置の構成及び動作を説明する。
【００８９】
ここで、上記の実施の形態１，２では、ライトフレーム番号生成部により、１つの映像が分割して入力される各入力映像信号をフレームメモリに書き込む（ライト）前に、それぞれの入力映像信号の対応するフレームに同じライトフレーム番号を付ける。そして、フレームメモリから読み出す（リード）際は、同じライトフレーム番号が付けられた入力映像信号を読み出して合成することで、１つの映像を出力する場合を説明した。
【００９０】
これに対して、本実施の形態の映像出力装置では、入力映像信号をフレームメモリに書き込む段階ではなく、フレームメモリに書き込まれた各入力映像信号を、フレームメモリから読み出す段階で、各入力映像信号を対応付けながら合成して、１つの映像として出力することを特徴としている。以下、映像信号が２つに分割されている場合を例にして説明する。
【００９１】
すなわち、実施の形態１，２においてライトフレーム番号生成部が行っていた作用と同様の作用を、実施の形態３ではリードフレーム番号生成部が行う。
【００９２】
そして、本実施の形態においては、リードフレーム番号生成部にラッチ回路を設置することで、１つの映像が分割して入力される各入力映像信号に同じライトフレーム番号を付けずに、すなわち、フレームメモリに書き込む段階では特段の処理をすることなく書き込み、フレームメモリから読み出す段階で適切な１つの映像として合成・出力することを実現している。
【００９３】
なお、ラッチ回路を設置することは必須ではなく、リードフレーム番号生成部の構成としては種々の構成が可能である。
【００９４】
以下、より具体的に説明する。
【００９５】
図６は、本実施の形態による映像出力装置２、より詳しくは信号合成部１０の概略構成を示すブロック図である。同図に示すように、映像出力装置２は、第１ライトアドレス生成回路２０１と第２ライトアドレス生成回路２０２、第１ライトフレーム番号生成部２１１と第２ライトフレーム番号生成部２１２、第１フレームメモリ２２１と第２フレームメモリ２２２、出力タイミング信号生成回路２３０、リードアドレス生成回路２４０、リードフレーム番号生成部２５０、及び合成映像信号出力回路２６０などを備えている。
【００９６】
ここで、上記第１ライトアドレス生成回路２０１、第２ライトアドレス生成回路２０２、第１ライトフレーム番号生成部２１１及び第２ライトフレーム番号生成部２１２は、入力映像信号をフレームメモリに書き込む書き込み部として機能する。
【００９７】
また、上記出力タイミング信号生成回路２３０、リードアドレス生成回路２４０、リードフレーム番号生成部２５０及び合成映像信号出力回路２６０は、フレームメモリに書き込まれた上記入力映像信号を読み出す読み出し部として機能する。
【００９８】
第１ライトアドレス生成回路２０１及び第２ライトアドレス生成回路２０２は、それぞれ第１入力映像信号及び第２入力映像信号をカウントして、それぞれにライトアドレスを生成する。
【００９９】
第１ライトフレーム番号生成部２１１及び第２ライトフレーム番号生成部２１２は、第１入力映像信号及び第２入力映像信号を、それぞれ第１フレームメモリ２２１及び第２フレームメモリ２２２に書き込むとき、各入力映像信号にライトフレーム番号を生成する。
【０１００】
そして、第１フレームメモリ２２１は、上記ライトアドレス及びライトフレーム番号で指定された位置に第１入力映像信号を書き込み、第２フレームメモリ２２２は、上記ライトアドレス及びライトフレーム番号で指定された位置に第２入力映像信号を書き込む。
【０１０１】
また、出力タイミング信号生成回路２３０は、各入力映像信号をタイミング信号に同期してあらかじめ設定された順序で出力するように、出力タイミング信号を生成し、リードアドレス生成回路２４０は、生成された出力タイミング信号をカウントして、リードアドレス生成する。
【０１０２】
リードフレーム番号生成部２５０は、第１及び第２入力映像信号について、その入力映像信号の有効範囲を示す信号である第１及び第２入力有効信号のアンドを取ってその信号の有効期間をカウントし、有効期間が最も長い期間の入力映像信号をそれぞれ対応するフレームメモリから同時に読み出せるように、各入力映像信号のリードフレーム番号を決める。
【０１０３】
ここで、以上のようにして生成されたリードアドレス及びリードフレーム番号は、各フレームメモリ（第１フレームメモリ２２１及び第２フレームメモリ２２２）に入力される。
【０１０４】
そして、合成映像信号出力回路２６０は、第１フレームメモリ２２１及び第２フレームメモリ２２２の中から、上記リードアドレスとリードフレーム番号とで指定された位置から入力映像信号読み出し、それらを合成して、出力タイミングに応じて映像信号を出力する。
【０１０５】
以下、図７，８に基づいて、リードフレーム番号生成部２５０の構成及び各構成の処理について詳細に説明する。
【０１０６】
図７は、リードフレーム番号生成部２５０の概略構成を示すためのブロック図である。同図に示すように、リードフレーム番号生成部２５０は、入力される第１，第２入力有効信号をそれぞれ拡張するための第１，第２拡張回路２５１，２５２、拡張された入力有効信号（拡張入力有効信号）をアンドするためのアンド回路２５３、アンドされた入力有効信号の高いレベルにある期間をカウントするための第１カウンタ２５４、アンドされた有効信号が高いレベルから低いレベルに変更する時点で、第１カウンタ２５４による以前の最大値と今の最大値を比較し、比較結果によって入力番号を出力するための最大値検出回路２５５を備える。これらは、上記実施の形態１におけるライトフレーム番号生成部と同様である。また、これに続く処理として、上下段の第１，第２入力有効信号をそれぞれ第１拡張回路２５１，第２拡張回路２５２にて拡張し、アンド回路２５３にてアンド有効信号を生成し、そして、第１カウンタ２５４によりアンド有効信号の有効期間をカウントし、カウント結果を最大値検出回路２５５にて比較することで入力番号を決めることも、図３に示す実施例と同様である。
【０１０７】
また、リードフレーム番号生成部２５０は、第１，第２入力有効信号にそれぞれ対応する第１，２垂直同期信号の有効期間をカウントする第２カウンタ２５６ａ，第３カウンタ２５６ｂを備える。したがって、第１ライトフレーム番号生成部２１１（図６を参照）は、第１垂直同期信号が低いレベルから高いレベル（すなわち、信号レベルが「０」→「１」）になる時点において、第１入力映像信号に対応する第１ライトフレーム番号を生成して、第１フレームメモリ２２１に格納する。同様に、第２ライトフレーム番号生成部２１２（図６を参照）は、第２垂直同期信号が低いレベルから高いレベル（すなわち、信号レベルが「０」→「１」）になる時点において、第２入力映像信号に対応する第２ライトフレーム番号を生成して、第２フレームメモリ２２２に格納する。
【０１０８】
また、リードフレーム番号生成部２５０は、フレーム番号を一時的に格納するためのラッチ回路を備えている。各ラッチ回路の処理について、以下説明する。
【０１０９】
リードフレーム番号生成部２５０は、上記最大値検出回路の処理に基づいて決定された入力番号に対応する入力有効信号のライトフレーム番号と、当該入力有効信号との有効期間が最も長い他方の入力有効信号のライトフレーム番号を１組みとして記憶し、各ライトフレーム番号をそれぞれ第１ラッチ回路２５７ａ及び第２ラッチ回路２５７ｂに格納しておく。
【０１１０】
その後、リード用垂直同期信号に合わせて、第１ラッチ回路２５７ａ，第２ラッチ回路２５７ｂに一時格納されているライトフレーム番号を、それぞれ第３ラッチ回路２５８ａ，第４ラッチ回路２５８ｂに移行して、それぞれ第１リードフレーム番号及び第２リードフレーム番号として使用する。
【０１１１】
以上のようにして、リードフレーム番号生成部２５０により、非同期で入力される複数の映像信号に対して、合成しようとする適切な組み合わせの映像信号のリードフレーム番号を１組として記憶し、同じ組となったリードフレーム番号の入力映像信号を合成することで、テアリングがない１つの映像を出力する。
【０１１２】
なお、上記適切な組み合わせの組となったリードフレーム番号の入力映像信号を合成するとは、例えば、上記フレームメモリに設けられた複数の上記フレームメモリ領域において、上記適切な組み合わせに対応するフレームメモリ領域を上記指標によって指定し、合成することを意味する。
〔実施の形態４〕
図９は、本発明の他の実施の形態による映像出力装置２’の概略構成を示すブロック図である。図９に示すように、本実施の形態における映像出力装置２’は、図６に示す上記実施の形態３における映像出力装置２に、より詳しくは上記信号合成部１０の書き込み部に、書き込み制御部としての調停回路２７０をさらに備えた構成を有している。
【０１１３】
以下の説明では、上記実施の形態３の映像出力装置２と同様の部分についてはその説明を省略し、上記映像出力装置２と異なる部分について主に説明する。
【０１１４】
ここで、上記調停回路２７０は、上記実施の形態２で説明して調停回路１７０と同様の機能を有するものである。
【０１１５】
調停回路２７０はフレームメモリ２２０の前段に設置されており、当該調停回路２７０により、フレームメモリ２２０への、各入力映像信号の入力タイミングと、ライトアドレスの入力タイミングと、各入力映像信号に付けられたライトフレーム番号の入力タイミングとを調整して、各入力映像信号が、上記ライトアドレスおよびライトフレーム番号で指定された位置に順番に書き込まれるように制御する。
【０１１６】
このように、本実施例では、調停回路を用いることで、１つのフレームメモリで映像出力装置を実現することが可能である。このため、装置全体の端子数や部品点数を削減でき、消費電力やコストを下げることができる。
【０１１７】
〔実施の形態５〕
上記実施の形態１〜４では、１つの映像を複数の入力映像信号に分割して送信する場合、各入力映像信号の間に発生するテアリング、すなわちフレーム間のテアリングを抑制することができる。
【０１１８】
本実施の形態においては、フレーム内のテアリングの抑制に関する実施の形態について説明する。
【０１１９】
本実施の形態においては、１つのフレームメモリを、３フレーム分のフレームメモリ領域に分割することにより、最小限のフレームメモリで、フレーム内及びフレーム間で発生されるテアリングを軽減することが可能である。以下、映像信号が２つに分割されている場合を例にして具体的に説明する。
【０１２０】
まず、比較例として、上記実施の形態１，２の映像出力装置において、１つのフレームメモリを２フレーム分のフレームメモリ領域に分割した場合を説明する。具体的には、図１０の（ａ）に示すように、１つのフレームメモリを、フレーム番号０とフレーム番号１である２フレーム分のフレームメモリ領域に分割した場合について説明する。
【０１２１】
上記実施の形態１，２におけるライトフレーム番号生成部は、第１，第２入力映像信号に、それぞれ第１，第２ライトフレーム番号を生成する。
【０１２２】
その際、図１０の（ｂ）に示すように、当該フレーム番号０及び１に応じて、第１，第２入力映像信号には、それぞれ「０」及び「１」からなるライトフレーム番号が順番に切り替えて割り当てられる。
【０１２３】
ここで、第１ライトフレーム番号及び第２フレーム番号とは、上記実施の形態１，２において説明したように、ライトフレーム番号生成部により、２つの入力映像信号の有効範囲を示す信号である上記入力有効信号のアンドを取ってその信号の有効期間をカウントし、有効期間が最も長い期間の入力映像信号が同じフレームに格納できるように、第１入力映像信号および第２入力映像信号に生成されたライトフレーム番号である。
【０１２４】
そして、図１０の（ｂ）に示す例では、斜線の網掛けがあるライトフレーム番号「０」を有する第１及び第２入力映像信号（同じライトフレーム番号を有する入力映像信号）が合成され、１つの映像として出力される。
【０１２５】
ここで、リードフレーム番号生成部により生成されたリードフレーム番号の順番で、同じライトフレーム番号を有する第１入力映像信号及び第２入力映像信号を読み出そうとすると、その時点では、リードフレーム番号と、第１ライトフレーム番号又は第２ライトフレーム番号とが重なる場合が生じる。この場合、リードフレーム番号に対応するライトフレーム番号が明確にならないので、読み出しを行うとき、１つのリードフレーム番号に対応するライトフレーム番号を読み出したとしても、出力される映像にテアリングが発生することがある。
【０１２６】
例えば、リードフレーム番号の順番によって、図１０の（ｂ）の領域Ａ’に示すように、リードフレーム番号「０」に対応する入力映像信号を読み出すとき、当該リードフレーム番号と第２ライトフレーム番号には重なる部分（「０」）がある。そのため、上記領域Ａ’においては、書き込みが完了していないライトフレーム番号（「０」）がその読み出し対象となってしまう。
【０１２７】
これに対して、本実施の形態では、１つのフレームメモリを３フレーム分のフレームメモリ領域に分割することで、リードフレーム番号とライトフレーム番号とが重なるという上記問題を解決することが可能である。
【０１２８】
例えば、図１１の（ａ）に示すように、１つのフレームメモリを、フレーム番号０，１，２からなる３フレーム分のフレームメモリ領域に分割する。そして、これに応じて、図１１の（ｂ）に示すように、「０」→「１」→「２」→「０」の順番に切り替えて第１，第２ライトフレーム番号を生成し、これら第１，第２ライトフレーム番号に対応するリードフレーム番号を生成する。
【０１２９】
この場合、図１１の（ｂ）の領域Ａ，Ｂ，Ｃ…のように、ある特定のリードフレーム番号を読み出す際、当該リードフレーム番号と、第１，第２ライトフレーム番号とが重なる場合が生じない。そして、入力映像信号を読み出す場合、リードフレーム番号と、第１，第２ライトフレーム番号とが重なっている部分がないので、リードフレーム番号に対応する第１，第２ライトフレーム番号を確実に読み出すことができる。
【０１３０】
図１１の（ｃ）は、上記実施の形態３、４による映像出力装置において、１つのフレームメモリを３フレーム分のフレームメモリ領域に分割した場合を説明するための信号表示図である。
【０１３１】
この場合、「０」→「１」→「２」→「０」…の順番に切り替えて第１，第２ライトフレーム番号が生成され、リードフレーム番号生成部が上記実施の形態３、４において説明したような一連の処理を行い、１組となる第１，第２ライトフレーム番号を決定する。そして、リード用垂直同期信号に合わせて、第１，第２ライトフレーム番号に対応して第１，第２リードフレーム番号を生成する。
【０１３２】
そして、上記図１１の（ｃ）に示すように、１組となる第１リードフレーム番号及び第２リードフレーム番号により入力映像信号を読み出す場合、第１リードフレーム番号と第１ライトフレーム番号、及び第２リードフレーム番号と第２ライトフレーム番号とにそれぞれ重なりが生じない。
【０１３３】
本実施の形態によると、少ないフレームメモリで、フレーム内及びフレーム間で発生されるテアリングを軽減することが可能である。
【０１３４】
なお、１つのフレームメモリを３フレーム分のフレームメモリ領域に分割することで、リードフレーム番号とライトフレーム番号との重なりを避けることは、入力映像信号を２つ以上に分割した場合でも適用できる。
【０１３５】
また、フレームメモリを３フレーム以上に分割しても、３フレーム分に分割した場合と同じ効果が得られる。
【０１３６】
〔実施の形態６〕
上記実施の形態５の比較例に説明したように、フレームメモリを２フレーム分のフレームメモリ領域に分割した場合、リードフレーム番号と、ライトフレーム番号とには重なる場合が生じるので、複数に分割された入力映像信号が正確に合成できず、テアリングが発生することがある。そして、上記実施の形態５の実施例として説明したように、フレームメモリを３フレーム分のフレームメモリ領域に分割すると上記問題を解決することが可能である。
【０１３７】
ただし、上記問題を解決するためには、必ずフレームメモリを３フレーム分のフレームメモリ領域に分割する必要はない。例えば、上記比較例のように、フレームメモリを２フレーム分のフレームメモリ領域に分割した場合であっても、入力映像信号の有効期間を調整することで、リードフレーム番号とライトフレーム番号とが重ならないようにすることが可能である。
【０１３８】
例えば入力映像信号の有効期間を調整することで、上記比較例の問題を解決することができる。
【０１３９】
具体的には、入力映像信号の有効期間及び出力信号の有効期間を１フレーム時間の２／３未満とすることで、２フレーム分の容量を有するフレームメモリで、上記比較例の問題点を解決することができる。
【０１４０】
すなわち、すべての入力映像信号のフレームメモリへのライト期間及び出力信号のリード期間が１フレーム時間の２／３未満であれば、２フレーム分のフレームメモリであっても、フレーム番号を「０」→「１」→「０」→「１」…と交互に切り替えて、同じフレーム番号のフレームメモリで、ライト動作とリード動作とが重ならないように制御することができる。
【０１４１】
図１３（ａ）は、入力映像信号の有効期間を３分の２に調整した場合のライトフレーム番号及びリードフレーム番号の生成結果を例示する図である。なお、上図で、空白部分（数字が付されていない部分）は、ライトやリードを行っていない期間を示している。
【０１４２】
上記図１３（ａ）に示すように、最も厳しい入力条件である第１入力有効信号と、第２入力有効信号との位相が５０％ずれている場合であっても、２フレーム分の容量のフレームメモリで、ライトフレーム番号とリードフレーム番号とが重ならないような制御をすることができる。
【０１４３】
しかし、一般的に入力映像信号の有効期間は、３分の２より長いため、フレームメモリを２フレームに削減できない。しかし、入力映像信号の有効期間を調整せずに、入力映像信号がフレームメモリへ書き込まれる前、及びフレームメモリから読み出された後、ＦＩＦＯ（Ｆｉｒｓｔ  Ｉｎ  Ｆｉｒｓｔ  Ｏｕｔ：先入れ先だし特性を有するメモリ）を経由させることで、同じ容量のフレームメモリでリード動作とライト動作とが重ならないように制御することができる。すなわち、ＦＩＦＯ回路は、ライト期間及びリード期間を短くするために設置されるものであり、最大で１／３フレーム分の容量を有するＦＩＦＯが備えられていると、擬似的に、入力映像信号の有効期間を２／３未満とすることができる。
【０１４４】
図１２は、上記ＦＩＦＯが設けられた映像表示装置３の概略構成を示す図である。
【０１４５】
上記図１２に示すように、上記映像表示装置３の信号合成部１０には、第１フレームメモリ３２１の入力部には第１ＦＩＦＯ３７１（補助メモリ）が、その出力部には第３ＦＩＦＯ３７３（補助メモリ）が設けられている。
【０１４６】
また、同様に、第２フレームメモリ３２２の入力部には第２ＦＩＦＯ３７２（補助メモリ）が、その出力部には第４ＦＩＦＯ３７４（補助メモリ）が設けられている。
【０１４７】
そして、例えば、入力される映像信号において、３分の１のフレームに該当する入力映像信号を上記第１，第２ＦＩＦＯ３７１，３７２に一時格納し、残りの３分の２をそれぞれフレームメモリに書き込む。そのため、入力映像信号の有効期間を２／３未満とするためには、各ＦＩＦＯのサイズは、最大で３分の１のフレームであればよい。
【０１４８】
また、同様に、フレームメモリから読み出す際には、３分の１のフレームに該当する入力映像信号を上記第３，第４ＦＩＦＯ３７３，３７４に一時格納しながら読み出す。
【０１４９】
図１３（ｂ）は、上記図１３（ａ）と同様の図であり、ＦＩＦＯを設け、内部有効信号を２／３フレーム時間よりも短くした場合のライトフレーム番号及びリードフレーム番号の生成結果を例示する図である。
【０１５０】
上記図１３（ｂ）に示すように、ＦＩＦＯを設け、内部有効信号を２／３フレーム時間よりも短くすることで、２フレーム分の容量のフレームメモリで、ライトフレーム番号とリードフレーム番号とが重ならないような制御をすることができる。
【０１５１】
本実施の形態の映像出力装置が用いられる映像装置の全体の構成は、特に限定されるものではないが、例えば以下の構成が考えられる。
【０１５２】
すなわち、上記映像出力装置に、第１入力（第１入力映像信号に対応）としてＴＶのチューナー（例えばアンテナに接続されている）が接続されており、第２入力（第２入力映像信号に対応）としてＢＤやＤＶＤ等のプレイヤーが接続されている。そして、出力（出力映像信号に対応）としてＣＲＴ，液晶ディスプレイ，ＰＤＰなどのディスプレイ装置が接続されている構成が例示できる。
【０１５３】
ここで、ＴＶのチューナーやプレイヤーからの出力信号を、プランキング期間を延ばすことで、その有効期間を２／３にすることは、規格の観点から容易ではない。
【０１５４】
そこで、上記ＦＩＦＯを用いることで、内部有効信号を２／３フレーム時間よりも短くすることができるので、２フレーム分の容量のフレームメモリで、ライトフレーム番号とリードフレーム番号とが重ならないような制御をすることができる。
【０１５５】
なお、本実施の形態の映像出力装置では、その入力が３系統以上であっても同様の効果を得ることができる。
【０１５６】
また、本発明は上記した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【０１５７】
また、本発明の映像出力装置は、上記入力映像信号において、映像に基づく信号が入力されている期間を有効信号期間とした場合、上記信号合成部は、上記基準入力映像信号と、上記他の入力映像信号とにおいて、互いの上記有効信号期間の重なり合いが長い有効信号期間同士が同時開始するように上記基準入力映像信号と上記他の入力映像信号とを合成することで、上記フレーム期間の重なり合いが長いフレーム同士を合成することを特徴とする。
【０１５８】
また、本発明の映像の合成方法は、上記入力映像信号において、映像に基づく信号が入力されている期間を有効信号期間とした場合、上記基準入力映像信号と、上記他の入力映像信号とにおいて、互いの上記有効信号期間の重なり合いが長い有効信号期間を特定することで、互いのフレーム期間の重なり合いが長いフレームを特定することを特徴とする。
【０１５９】
上記映像出力装置又は映像の合成方法によれば、互いのフレーム期間の重なり合いが長いフレーム同士を合成する際、その合成するフレームが、有効信号期間の重なり合いに基づいて決定される。
【０１６０】
そのため、入力映像信号において映像に基づく信号が入力されている期間の重なり合いを、例えばアンド回路を用いて検出することで、容易に合成すべきフレームを特定することができる。
【０１６１】
また、本発明の映像出力装置は、上記信号合成部には、複数の上記入力映像信号ごとに、上記入力映像信号が書き込まれるフレームメモリが設けられているとともに、上記フレームメモリに上記入力映像信号を書き込む書き込み部が設けられており、上記フレームメモリには、複数のフレームメモリ領域が設けられており、上記フレームメモリ領域には、それぞれを特定するための指標が付されており、上記書き込み部は、上記フレーム期間の重なり合いが長いフレーム同士が、それぞれの上記入力映像信号に対応する上記フレームメモリにおける同じ指標が付された上記フレームメモリ領域に書き込まれるように、上記入力映像信号を上記フレームメモリに書き込むことを特徴とする。
【０１６２】
上記構成によれば、フレームメモリに書き込まれる際に、対応するフレームが同じ指標が付されたフレームメモリ領域に書き込まれる。
【０１６３】
そのため、フレームメモリから映像信号を読み出す際に、特段の操作をすることなく、例えば単一のリードアドレスを定めることで、対応するフレーム同士を合成することができる。
【０１６４】
また、本発明の映像出力装置は、上記信号合成部には、複数の上記入力映像信号ごとに、上記入力映像信号が書き込まれるフレームメモリが設けられているとともに、上記フレームメモリに書き込まれた上記入力映像信号を読み出す読み出し部が設けられており、上記フレームメモリには、複数のフレームメモリ領域が設けられており、上記フレームメモリ領域には、それぞれを特定するための指標が付されており、上記読み出し部は、上記フレーム期間の重なり合いが長いフレーム同士が同時に読み出されるように、それぞれの上記入力映像信号に対応する上記フレームメモリにおいて、読み出し先となるフレームメモリ領域の上記指標を決定することを特徴とする。
【０１６５】
上記構成によれば、フレームメモリから読み出す際に、対応するフレームを特定して、それらを合成する。
【０１６６】
そのため、フレームメモリへの映像信号を書き込みを簡素化でき、例えば高速な書き込みが可能となる。
【０１６７】
また、本発明の映像出力装置は、上記信号合成部には、複数の上記入力映像信号を書き込むことが可能な単一のフレームメモリと、単一の上記フレームメモリへの、複数の上記入力映像信号の書き込みタイミングが重ならないように順番に書き込むように制御する書き込み制御部とが設けられていることを特徴とする。
【０１６８】
上記構成によれば、入力映像信号の書き込みタイミングを制御する書き込み制御部が設けられている。
【０１６９】
そのため、複数の入力映像信号を単一のフレームメモリに書き込むことができる。よって、映像出力装置の構成を簡素化ができ、製造コストを下げることができる。
【０１７０】
また、本発明の映像出力装置は、上記信号合成部には、複数の上記入力映像信号ごとに、上記入力映像信号が書き込まれるフレームメモリと、上記フレームメモリに上記入力映像信号を書き込む書き込み部と、上記フレームメモリに書き込まれた上記入力映像信号を読み出す読み出し部とが設けられており、上記フレームメモリには、３個のフレームメモリ領域が設けられているとともに、各フレームメモリ領域には、上記各フレームメモリ領域を特定するための指標が付されており、上記書き込み部と上記読み出し部とは、同じ上記指標が付された上記フレームメモリ領域に対して、同時に書き込みと読み出しとが行われないように、上記書き込みと読み出しとを行うことを特徴とする。上記の構成によれば、フレームメモリに、３個のフレームメモリ領域が設けられている。そのため、同じ指標が付されたフレームメモリ領域に対して、同時に書き込みと読み出しとが行われない。したがって、フレーム内におけるテアリングの発生を抑制することができる。
【０１７１】
なお、１つの上記フレームメモリ領域は、入力映像信号の１フレーム分のデータ量に対応した容量を有するものである。
【０１７２】
また、本発明の映像出力装置は、上記信号合成部には、複数の上記入力映像信号ごとに、上記入力映像信号が書き込まれるフレームメモリと、上記フレームメモリに上記入力映像信号を書き込む書き込み部と、上記フレームメモリに書き込まれた上記入力映像信号を読み出す読み出し部とが設けられており、上記フレームメモリには、２個のフレームメモリ領域が設けられているとともに、各フレームメモリ領域には、上記各フレームメモリを特定するための指標が付されており、上記入力映像信号において、映像に基づく信号が入力されている期間を有効信号期間とした場合、上記有効信号期間は、上記フレーム期間の３分の２未満であり、上記書き込み部と上記読み出し部とは、同じ上記指標が付された上記フレームメモリ領域に対して、同時に上記書き込みと読み出しとが行われないように、上記書き込みと読み出しとを行うことを特徴とする。
【０１７３】
また、本発明の映像出力装置は、上記信号合成部には、複数の上記入力映像信号ごとに、上記入力映像信号が書き込まれるフレームメモリと、上記フレームメモリに上記入力映像信号を書き込む書き込み部と、上記フレームメモリに書き込まれた上記入力映像信号を読み出す読み出し部とが設けられており、上記フレームメモリの上記入力映像信号の書き込み部分、及び、上記フレームメモリの上記入力映像信号の読み出し部分には、それぞれ先入れ先だし特性を有する補助メモリが設けられており、上記補助メモリは、上記フレーム期間の３分の１以上の期間に対応する入力映像信号をメモリする容量を有しており、上記フレームメモリには、２個のフレームメモリ領域が設けられているとともに、各フレームメモリ領域には、それぞれを特定するための指標が付されており、上記書き込み部と上記読み出し部とは、同じ上記指標が付された上記フレームメモリ領域に対して、同時に上記書き込みと読み出しとが行われないように、上記書き込みと読み出しとを行うことを特徴とする。
【０１７４】
上記の構成によれば、入力映像信号の有効信号期間がフレーム期間の２／３未満であるか、又は、３分の１以上のフレーム期間に対応する補助メモリが設けられている。
【０１７５】
そのため、２個のフレームメモリ領域しか設けられていないフレームメモリを用いて、同じ指標が付されたフレームメモリ領域に対して、同時に書き込みと読み出しとが行われないようにすることができる。
【０１７６】
したがって、低い製造コストで、フレーム内におけるテアリングの発生が抑制された映像出力装置を実現することができる。
【０１７７】
また、本発明の制御プログラムは、上記信号合成部としてコンピュータを機能させる。
【０１７８】
また、本発明のコンピュータ読取可能な記録媒体には、上記制御プログラムが格納されている。
【産業上の利用可能性】
【０１７９】
本発明は、高い解像度の映像を送信する場合、１つの映像を複数のケーブルに分割して伝送する映像装置などに好適に利用することができる。
【符号の説明】
【０１８０】
１  映像出力装置
１’映像出力装置
２  映像出力装置
２’映像出力装置
３  映像出力装置
１０  信号合成部
１２１  第１フレームメモリ（フレームメモリ）
１２２  第２フレームメモリ（フレームメモリ）
２２１  第１フレームメモリ（フレームメモリ）
２２２  第２フレームメモリ（フレームメモリ）
２２０  フレームメモリ
３２１  第１フレームメモリ（フレームメモリ）
３２２  第２フレームメモリ（フレームメモリ）
３７１  第１ＦＩＦＯ（補助メモリ）
３７２  第２ＦＩＦＯ（補助メモリ）
３７３  第３ＦＩＦＯ（補助メモリ）
３７４  第４ＦＩＦＯ（補助メモリ）
【図１】
2011040077.tif 000003
【図２】
2011040077.tif 000004
【図３】
2011040077.tif 000005
【図４】
2011040077.tif 000006
【図５】
2011040077.tif 000007
【図６】
2011040077.tif 000008
【図７】
2011040077.tif 000009
【図８】
2011040077.tif 000010
【図９】
2011040077.tif 000011
【図１０】
2011040077.tif 000012
【図１１】
2011040077.tif 000013
【図１２】
2011040077.tif 000014
【図１３】
2011040077.tif 000015
【国際調査報告】
2011040077.tif 000016
2011040077.tif 000017
2011040077.tif 000018